【手続補正書】
【提出日】平成16年6月9日(2004.6.9)
【手続補正１】
【補正対象書類名】特許請求の範囲
【補正対象項目名】全文
【補正方法】変更
【補正の内容】
【特許請求の範囲】
【請求項１】
カメラと、所定の人物からの音声を優先的に受け取りまたは識別し、これに応答して音声信号を生成することが可能な音検出手段と、前記音声信号に応答して顕著性信号を提供する音声手段と、前記顕著性信号に応答して前記カメラを制御する制御手段とを備え、前記音声手段は、（ａ）発話の韻律、（ｂ）非発話の声音、および（ｃ）非声音のうちの少なくとも１つに応答することによって前記顕著性信号を提供するように構成されている自動撮像装置。
【請求項２】
前記カメラは、画像を感光媒体に記録するように構成されている、請求項１に記載の自動撮像装置。
【請求項３】
前記カメラは画像信号を提供する電子カメラである、請求項１に記載の自動撮像装置。
【請求項４】
画像信号を提供する電子カメラと、所定の人物からの音声を優先的に受け取りまたは識別し、これに応答して音声信号を生成することが可能な音検出手段と、前記音声信号に応答して顕著性信号を提供する音声手段と、前記顕著性信号に応答して前記画像信号を制御する制御手段とを備え、前記音声手段は、（ａ）発話の韻律、（ｂ）非発話の声音、および（ｃ）非声音のうちの少なくとも１つに応答することによって前記顕著性信号を提供するように構成されている自動撮像装置。
【請求項５】
前記音声信号を前記画像信号とともに記録する記録手段と、前記音声信号および画像信号を再生する再生手段と、をさらに備え、前記音声手段は、前記再生音声信号に応答して前記顕著性信号を提供するように構成され、前記制御手段は、前記顕著性信号に応答して前記再生画像信号を制御する、請求項４に記載の自動撮像装置。
【請求項６】
前記制御手段は、前記画像信号を選択的に伝送するゲートを備える、請求項４または５に記載の自動撮像装置。
【請求項７】
前記制御手段は、前記顕著性信号を他の制御信号と組み合わせて、前記ゲートを制御するゲート制御出力を生成する結合手段を備える、請求項６に記載の自動撮像装置。
【請求項８】
前記ゲートは、二値の前記顕著性信号によって直接制御されるように構成されている、請求項６に記載の自動撮像装置。
【請求項９】
前記被制御画像信号を記録する記録手段を備える、請求項３〜８のいずれかに記載の自動撮像装置。
【請求項１０】
前記音声信号解析手段は、言葉認識によって前記顕著性信号を提供するようにも構成されている、請求項１〜９のいずれかに記載の自動撮像装置。
【請求項１１】
前記音声手段は、前記音声信号の波形を解析して、所定のカテゴリの集合の１つに入るものとして分類する音声解析手段を備える、請求項１〜１０のいずれかに記載の自動撮像装置。
【請求項１２】
前記音声解析は一連の参照波形を含み、該一連の参照波形と照らし合わせて前記分類が行われる、請求項１１に記載の自動撮像装置。
【請求項１３】
前記音声解析は、新しい音声を認識するようにトレーニング可能であるように構成されている、請求項１〜１２のいずれかに記載の自動撮像装置。
【請求項１４】
前記音声解析手段は、前記音声信号にカテゴリを割り当てるとき、全体の信号振幅またはエンベロープを考慮するように構成されている、請求項１１〜１３のいずれかに記載の自動撮像装置。
【請求項１５】
前記音声解析手段は、前記音声信号に割り当てられた前記カテゴリによって少なくとも部分的に決定される値を有する顕著性信号を提供するように構成されている、請求項１１〜１４のいずれかに記載の自動撮像装置。
【請求項１６】
前記音声解析手段は、前記音声信号に割り当てられた前記カテゴリに従って二値の前記顕著性信号を提供する、請求項１５に記載の自動撮像装置。
【請求項１７】
前記音声解析手段は、前記音声信号に割り当てられた前記カテゴリに従って複数の値のうちの１つを有する顕著性信号を提供する、請求項１５に記載の自動撮像装置。
【請求項１８】
前記割り当てられたカテゴリの関数として離散的な変数であり、前記音声信号の前記全体の信号振幅またはエンベロープの関数として連続的な変数である顕著性信号を提供するように前記音声解析手段が構成されている、請求項１５に記載の自動撮像装置。
【請求項１９】
前記音検出手段は、前記所定の人物の頭部領域または喉領域に装着されるように適合され、前記装着者の頭部から発せられる音声を優先的に検出し、音声の検出に応答して前記音声信号を生成する音声伝導マイクロフォンを備える、請求項１〜１８のいずれかに記載の自動撮像装置。
【請求項２０】
空気を介して音声を受け取る従来のマイクロフォンをさらに備える、請求項１９に記載の自動撮像装置。
【請求項２１】
前記従来のマイクロフォンからの信号を記録する手段を備える、請求項２０に記載の自動撮像装置。
【請求項２２】
前記音声解析手段は、前記音声信号を所定のカテゴリの集合の１つに入るものとして分類するとき、前記従来のマイクロフォンからの前記信号を考慮に入れるように構成されている、請求項２０または請求項２１に記載の自動撮像装置。
【請求項２３】
前記カメラには、該カメラを前記所定の人物に固定する固定手段が設けられる、請求項１〜２２のいずれかに記載の自動撮像装置。
【請求項２４】
前記カメラには、少なくとも前記撮像光学系を前記所定の人物の頭部に固定する固定手段が設けられる、請求項１〜２２のいずれかに記載の自動撮像装置。
【請求項２５】
前記カメラは、前記所定の人物上以外のカメラ位置に取り付けられる、請求項１〜２２のいずれかに記載の自動撮像装置。
【請求項２６】
前記記録手段には、該記録手段を前記所定の人物に固定する固定手段が設けられる、請求項１または２１に記載の自動撮像装置。
【請求項２７】
前記記録手段は、音検出手段から離れたレコーダ位置に配置され、前記音声信号を前記音検出手段から前記レコーダ位置に無線伝送する手段を備える、請求項１または２１に記載の自動撮像装置。
【請求項２８】
前記音声手段は、前記音検出手段から離れた音声手段位置に取り付けられ、前記音声信号を前記音声手段位置に無線伝送する手段を備える、請求項１〜２７のいずれかに記載の自動撮像装置。
【請求項２９】
前記制御手段は、前記音声手段から離れた制御位置に位置し、前記顕著性信号を前記音声手段から前記制御手段に無線伝送する手段を備える、請求項１〜２８のいずれかに記載の自動撮像装置。
【請求項３０】
カメラを操作して画像信号を生成させる操作ステップと、
所定の人物からの音声を優先的に受け取り、または識別し、これに応答して音声信号を生成するステップと、
前記音声信号に応答して顕著性信号を生成するステップと、
前記顕著性信号に応答して前記カメラを制御するステップと
を含み、前記顕著性信号は、（ａ）発話の韻律、（ｂ）非発話の声音、および（ｃ）非声音のうちの少なくとも１つによって決定されるものである、撮像方法。
【請求項３１】
前記カメラは画像信号を提供する電子カメラである、請求項３０に記載の撮像方法。
【請求項３２】
カメラを操作して画像信号を生成させる操作ステップと、
所定の人物からの音声を優先的に受け取り、または識別し、これに応答して音声信号を生成するステップと、
前記音声信号に応答して顕著性信号を生成するステップと、
前記顕著性信号に応答して前記画像信号を制御するステップと
を含み、前記顕著性信号は、（ａ）発話の韻律、（ｂ）非発話の声音、および（ｃ）非声音のうちの少なくとも１つによって決定されるものである、撮像方法。
【請求項３３】
前記優先的に受け取る、または識別するステップは、前記所定の人物の頭部から発せられる音声を優先的に検出する、前記所定の人物の頭部領域または喉領域に合った音伝達マイクロフォンを使用して行われる、請求項３０〜３２のいずれかに記載の撮像方法。
【請求項３４】
前記顕著性信号を生成するステップは、所定のカテゴリの集合の１つに入るものとして分類するために、前記音声信号の波形を解析するステップを含む、請求項３０〜３３のいずれかに記載の撮像方法。
【請求項３５】
前記顕著性信号を生成する前に、前記音声信号およびビデオ信号を記録して再生するステップを含む、請求項３０〜３４のいずれかに記載の撮像方法。